(57)【要約】【課題】  射出成形機の外部から冷媒の供給を受けることなく金型を冷却すると共に、射出ユニットの有する樹脂の可塑化能力が小さくとも射出成形サイクルのハイサイクル化を図ることができる射出成形用の金型を提供すること。【解決手段】  溶融樹脂が充填されるキャビティ２２を形成するコアプレート２０、２０の周囲を熱伝導率の高い材料からなる型板（可動側型板３及び固定側型板５）により囲繞し、この型板３、５の外表面に放熱部材（放熱フィン７や放熱ピン）を突設し、この金型１の周囲に空冷ファンを配設して金型１に対して送風し、キャビティ２２内に充填された溶融樹脂の熱を放熱部材及び放熱ファンの組合せにより放熱して冷却し、樹脂成形品を得る。【選択図】  図３
2005035164.tif 000002
【特許請求の範囲】
【請求項１】
溶融樹脂が射出・充填されるキャビティが形成される１個取りのコアプレートの周囲を熱伝導性の高い材料からなる型板により囲繞し、該型板の外表面には前記コアプレートのキャビティに充填される溶融樹脂の熱を放出させる放熱手段を設けてなる射出成形用金型。
【請求項２】
前記放熱手段は、前記型板の外表面に多数の放熱片部材を突設したものであることを特徴とする請求項１に記載の射出成形用金型。
【請求項３】
前記放熱手段は、前記型板の外表面に多数の溝を刻設することにより表面積を増したものであることを特徴とする請求項１に記載の射出成形用の金型。
【請求項４】
コアプレートのキャビティに低い射出圧力で溶融樹脂を注入し、そのキャビティ内に注入される溶融樹脂の熱により金型を比較的高い温度に維持しつつ、この金型の外表面を強制空冷して前記キャビティ内の溶融樹脂を固化するようにしたことを特徴とする低圧射出成形方法。
【発明の詳細な説明】
【技術分野】
【０００１】
本発明は、溶融樹脂を射出して樹脂成形品を得る射出成形用の金型に関し、更に詳しくは、射出成形操作において溶融樹脂を金型内に射出・充填した後に、空冷ファン及び金型の表面に形成される放熱片部材により金型を冷却して樹脂成形品を得る射出成形用の金型に関する。
【背景技術】
【０００２】
樹脂の射出成形加工は、例えば金型のキャビティに熱により溶融した樹脂を射出・充填し、その後冷却・固化して樹脂成形品を得る加工方法であり、その工程は一般的に、１．型締め工程（金型を閉じる工程）、２．射出工程（溶融樹脂をノズルから金型のキャビティに射出する工程）、３．保圧工程（金型内に充填した溶融樹脂のゲート部分が固化するまでの間、樹脂への加圧を維持する工程）、４．冷却工程（金型内の樹脂を冷却する工程）、５．型開き工程（金型を開く工程）、６．取り出し工程（樹脂成形品を金型から取り出す工程）の各工程に分類される。
【０００３】
このような射出成形加工において、射出成形サイクル（１回の射出成形で行われる操作）のハイサイクル化を図り、生産効率を向上させるためには、前記各工程に要する時間を短縮することが要求される。
【０００４】
例えば冷却工程に要する時間（以下、冷却時間と記す）を短縮するため、金型の内部に管状の経路を形成してその経路内に油や水などの流体の冷媒を導入し、金型を強制的に冷却する構成が広く採用されている。このような構成によれば、金型内に形成される冷媒の経路の数、形状や導入する冷媒の種類、温度や量を調整することにより、冷却効率を向上させて冷却時間を短縮することができる。
【０００５】
金型の冷却効率を向上させつつ金型強度の低下を防止する構成としては、金型を大型化して強度を高める構成が広く採用されているほか、例えば、金型のキャビティの直近に小径の冷却管を複数形成し、これらの冷却管に冷気を導入して金型を冷却する構成が提案されている（特許文献１参照）。この構成によれば、金型内部のキャビティの直近に冷却管（冷媒の経路）を形成することにより金型の冷却効率を向上させるものであるが、この冷却管を小径に形成して冷却管が金型の強度に与える影響を抑制するものである。そして冷媒として液体に比較して流動抵抗の小さい冷気（気体）を用いることにより、冷却管が小径であっても効率よく冷気を導入できるものである。
【０００６】
しかしながら特許文献１に記載の構成を含め、金型内に冷却管を形成する構成では金型が大型化するため、射出成形機も大型化する。また、射出成形機の外部から冷媒の供給を受ける必要があるため、射出成形機とは別に冷媒を供給する附帯的な設備（特許文献１に記載の構成では冷気供給源など）が必要となり、このような附帯的な設備がなければ樹脂の射出成形を行えず、射出成形に必要な設備が全体として大がかりなものとなる。
【０００７】
また、射出成形加工の生産効率を向上させる構成として、いわゆる多数個取りの金型（１回の射出成形操作で同時に複数の樹脂成形品を得ることができる金型）を用いる構成も広く採用されており、この構成によれば１回の射出成形操作で得られる樹脂成形品の個数が多いほど生産効率も向上させることができる。しかし得られる樹脂成形品の個数に比例的に金型も大型となるのみならず、射出工程において射出する溶融樹脂の量も増加するため、射出ユニットの有する樹脂の可塑化能力を向上させる必要があり、大型の射出ユニットを用いる必要がある。このため射出成形機が全体として大型化する。
【０００８】
そして射出ユニットの可塑化能力を高めて射出圧力を高くすると、射出工程において溶融樹脂にかかるせん断力も大きくなり、固化した樹脂の内部に応力が残留しやすくなる（いわゆる残留応力）ほか、大きなせん断力によって不必要な発熱が生じ、金型内で溶融樹脂が異常な高温となって変質するおそれもある。また、金型が大型になると金型の冷却速度が不均一となりやすく、１回の射出成形操作で得られる樹脂成形品の間で品質のばらつきが生じやすくなるおそれもある。
【０００９】
このように、射出成形加工における生産効率の向上及び得られる樹脂成形品の品質の維持と、射出成形機及び必要な附帯的設備の小型化・簡略化との両立を図ることは極めて困難である。
【００１０】
【特許文献１】特開２００３−５３８１３号公報
【発明の開示】
【発明が解決しようとする課題】
【００１１】
本発明が解決しようとする課題は、射出成形機の外部から冷媒の供給を受けることなく金型を冷却すると共に、射出ユニットの有する樹脂の可塑化能力が小さくとも射出成形サイクルのハイサイクル化を図ることができる射出成形用の金型を提供することである。
【課題を解決するための手段】
【００１２】
このような課題を解決するため、請求項１に記載の発明は、溶融樹脂が射出・充填されるキャビティが形成される１個取りのコアプレートの周囲を熱伝導性の高い材料からなる型板により囲繞し、該型板の外表面には前記コアプレートのキャビティに充填される溶融樹脂の熱を放出させる放熱手段を設けてなることを要旨とするものである。
【００１３】
そして、請求項１に記載の型板の外表面に設けられる放熱手段は、請求項２に記載のように、前記型板の外表面に多数の放熱片部材を突設したものであることや、請求項３に記載のように、前記型板の外表面に多数の溝を刻設することにより表面積を増したものであることが望ましい。
【００１４】
請求項４に記載の発明は、上記射出成形用金型を用いて比較的低い射出圧力で樹脂成形品を得る低圧射出成形法を提示するもので、コアプレートのキャビティに低い射出圧力で溶融樹脂を注入し、そのキャビティ内に注入される溶融樹脂の熱により金型を比較的高い温度に維持しつつ、この金型の外表面を強制空冷して前記キャビティ内の溶融樹脂を固化するようにしたことを要旨とするものである。
【発明の効果】
【００１５】
請求項１に記載の発明によれば、射出工程において金型のキャビティに充填された溶融樹脂は、その熱がコアプレートを囲繞する高熱伝導性の型板（すなわち固定側型板及び可動側型板）を伝導してその型板の外表面に設けられる放熱手段により可及的速やかに放熱される。このため、金型の冷却に要する時間（保圧工程及び冷却工程に要する時間）を短縮して射出成形サイクルのハイサイクル化を図ることができる。この場合この金型に近接して空冷ファンを配設し、この空冷ファンからの送風により強制空冷すれば、更に金型の冷却に要する時間を短縮することができる。また、金型の内部に冷媒を導入しなくとも金型を冷却することができることから、金型の小型化と射出成形機及びその附帯的な設備の小型化・簡略化を図ることができる。
【００１６】
この場合において、請求項２及び３に記載の発明のように、型板（固定側型板及び可動側型板）の外表面に放熱片部材を突設したり、複数の溝を刻設して表面積を増加させることで、型板の外表面からの放熱量を増加させて金型の冷却速度を大きくし、金型の冷却に要する時間を更に短縮して射出成形サイクルのハイサイクル化を図ることができる。ここで放熱片部材（例えば放熱フィンや放熱ピンなど）の突設や複数の溝の刻設は切削加工などにより安価に行うことができることから、金型の価格の低廉化も図ることができる。
【００１７】
請求項４に記載の発明にように、上記射出成形金型を用いて外部からの強制空冷により樹脂成形品を得るようにすれば、保圧工程及び冷却工程における金型の冷却を空冷ファンと放熱片部材の組合せにより行うことができるため、保圧工程及び冷却工程に要する時間を短縮化して射出成形サイクルのハイサイクル化を図ることができると共に、金型の冷却のために外部から冷媒の供給を受ける必要がないため、冷媒を供給するための附帯的な設備が不要となって射出成形機及び附帯的設備の小型化・簡略化を図ることができる。
【発明を実施するための最良の形態】
【００１８】
以下に、本発明に係る射出成形用の金型の実施の形態について、図面を参照して詳細に説明する。本発明者は、射出成形サイクルのハイサイクル化と射出成形機及びその附帯的設備の小型化・簡略化の両立を図ることができる射出成形機について研究した結果、射出成形加工中は金型を比較的高温に維持することにより、射出工程において溶融樹脂の圧力が低くとも溶融樹脂の射出が行えること、及び保圧工程及び冷却工程における金型の冷却を、樹脂の固化に必要な温度に達するまでの最小限の温度低下に留めることにより、冷却時間の短縮を図れることを知見し、本発明を完成させたものである。
【００１９】
図１は、本発明の第１の実施の形態に係る射出成形用の金型の外観斜視図、図２はこの金型の外観平面図で、（ａ）はノズルタッチプレートを有する側から見た図、（ｂ）は（ａ）の側方から見た図、（ｃ）は（ａ）の反対側から見た図である。また、図３はこの金型の内部構造を示した断面模式図である。
【００２０】
本実施の形態に係る射出成形用の金型１は、溶融樹脂が充填されるキャビティ（空隙）を形成するコアプレート２０、２０と、このコアプレート２０、２０の周囲を囲繞するように形成される型板（可動側型板３及び固定側型板５）を有する。そしてこれらの型板３、５はそれぞれ型締め装置に装着するための取付板（可動側取付板１１及び固定側型板１３）が装着される。
【００２１】
これら射出成形用の金型１を構成する各要素について説明すると、コアプレート２０、２０は、結合した状態においてその内部に樹脂成形品の形状と略同一のキャビティ２２が内部に形成され、このキャビティ２２に溶融樹脂を射出・充填して樹脂成形品を得ることができる。このコアプレート２０、２０は熱伝導性の高い材料、例えば銅−ベリリウム合金などから形成されることが望ましい。なお、このコアプレート２０、２０は、１回の射出成形操作において１個の樹脂成形品を得ることができるいわゆる１個取りの金型を構成する。
【００２２】
型板（可動側型板３及び固定側型板５）は、コアプレート２０、２０の周囲を囲繞するように形成される部材であり、射出工程及び保圧工程においてコアプレート２０、２０が変形・分離等して成形不良が生じないように固定するための部材である。またこれらの型板３、５は、コアプレート２０、２０のキャビティ２２に射出・充填された溶融樹脂の熱を外部に逃がして冷却するため、熱伝導率の高い材料、例えばアルミ合金などから形成されることが望ましい。そしてこれら型板３、５の外表面には、表面積を増加させて放熱の効率を高めるための放熱片部材として放熱フィン７、７、７、・・・が突設される。
【００２３】
なお、コアプレート２０、２０及び型板（可動側型板３及び固定側型板５）は、空気は通過できるが溶融樹脂は通過できないような微細な孔が多数形成される多孔質の材料、例えば多孔質アルミ合金から形成されるものであっても良い。多孔質の材料から形成されると、射出工程において金型内の空気は射出された溶融樹脂に押されて微細な孔から穴から抜け出すため、成形不良の発生を防止することができる。
【００２４】
型板３、５の外表面に形成される放熱フィン７、７、７、・・・は、切削加工を施して形成されるものであることが望ましく、例えば複数の溝を刻設することにより放熱フィン７、７、７、・・・が外表面から突設されるように形成するものであれば、一般的な切削加工、例えばフライス加工などにより放熱フィンを形成することができる。また、放熱片部材は放熱フィン７、７、７、・・・を形成する構成のほか、図５に示すように型板３、５の外表面に放熱ピン８、８、８、・・・を立設する構成であってもよい。
【００２５】
なお従来一般の金型は、溶融樹脂の高い射出圧力に耐え得るように金型強度を維持する必要があり、このような加工を施すことは金型強度が低下するおそれがあるため、外表面に放熱フィンや放熱ピンを形成する構成はなかった。また、金型の強度を維持できたとしても高硬度の材料に切削加工などを施すことは困難で加工コストがかかり、金型の価格が上昇するおそれもある。しかし本実施の形態に係る射出成形用の金型１は、溶融樹脂が低い射出圧力で射出されるため、型板３、５の外表面にこのような加工を施しても必要な金型強度を維持することは容易であり、かつアルミ合金などから形成されることから、一般的な切削加工などにより容易かつ安価に放熱フィン７、７、７、・・・を形成、あるいは放熱ピン８、８、８、・・・を立設することができる。
【００２６】
また、これらの型板３、５には管路状の温管９が形成されて金型１を予熱するための温媒を導入できるように構成される。金型１の予熱は射出成形加工の開始前において行われるものであり、冷却工程における冷媒の導入と異なり加熱に要する時間を短縮する要請は少なく、また金型全体を均一に加熱することが望まれものであることから、コアプレート２０、２０（又はキャビティ２２）の直近に形成する必要がない。このため、それぞれ外表面近傍の強度の低下に影響を与えない箇所に形成することができ、強度維持のために金型を大型化する必要がない。なお、図はそれぞれの型板に温管９が４本ずつ形成される構成を示しているが、金型１の大きさや必要となる加熱量などに応じて適宜増減や位置の変更をすることが可能である。
【００２７】
また、固定側型板５にはキャビティ２２に溶融樹脂を射出・充填する際にノズルを押し当てるノズルタッチプレート２４（スプルーブシュ）が配設される。型板のノズルタッチプレート２４が配設される部分は開口部１５が形成され、この開口部１５にはノズルと干渉しないように放熱フィン７、７、７、・・・が形成されない。また、可動側型板３及び固定側型板５にはアンギュラーピンを横抜きするための開口部１５も形成され、同じくアンギュラーピンと干渉しないように放熱フィン７、７、７、・・・が形成されない。
【００２８】
そして、金型１の周囲には空冷ファン３０が配設され（図４参照）、この空冷ファン３０が作動すると各型板３、５の外表面に形成される放熱フィン７、７、７、・・・に対して送風するように構成される。この空冷ファン３０は例えばパーソナルコンピュータのＣＰＵなどの冷却に用いられる空冷ファンと同様の構造・機能を有するものが適用でき、ファンが回転して放熱フィン７、７、７、・・・に送風することにより放熱フィン７、７、７、・・・からの放熱を促進する。この空冷ファン３０の送風能力は、必要となる冷却量に応じて適宜決定される。
【００２９】
この他に図示しないが、一般的な金型と同様に型板３、５の何れか一方にガイドピンが突設され、他方には開口部が形成されガイドピンブシュが装着されて、ガイドピンがガイドピンブシュ内をスライドするようにして可動側型板３と固定側型板５とがスライド式に分離・結合可能に構成される。そして可動側型板３及び固定側型板５はそれぞれ可動側取付板１１及び固定側取付板１３を介して型締め装置１１６に装着され（図４参照）、この型締め装置１１６により可動側型板３と固定側型板５の分離・結合動作が行われる。
【００３０】
このような構成を有する射出成形用の金型を用い、射出成形加工中はこの金型の温度を比較的高温に維持しつつ、射出工程において低い射出圧力で溶融樹脂を射出し、保圧工程及び冷却工程において金型の冷却を溶融樹脂の固化に必要な温度に達する最小限度の温度低下に留めるようにすると、射出成形サイクルのハイサイクル化を達成することができ、金型を冷却するための冷媒が不要で金型及び射出ユニットが小型にできることから射出成形機及びその附帯的設備の小型化・簡略化を図ることができる。
【００３１】
すなわち射出工程においては、溶融樹脂の流動性が低下しない間に、又は流動抵抗に抗して金型の内部に溶融樹脂を射出・充填する必要があることから、一般に高い射出圧力をかけて溶融樹脂を射出する。しかし、射出成形加工中において金型の温度を比較的高い温度に維持すると溶融樹脂の流動性が低下しにくくなることから、低い射出圧力であっても成形不良が生じることなく溶融樹脂を射出・充填することができる。このため射出ユニットの可塑化能力が小さくとも射出することができ、射出ユニットの小型化を図ることができる。なおここで例えばチョコレート用の金型で使用されているような多孔質材料から形成されるコアプレートを用いると、キャビティ２２の内部の空気は微細な孔から抜け出るため、溶融樹脂の射出圧力が低い場合であっても成形不良の発生が抑制される。
【００３２】
そして低い射出圧力で溶融樹脂を射出することから、金型強度は低くとも良く、金型を小型化することができる。このため本実施の形態に係る射出成形用の金型はいわゆる１個取りの金型として構成される。１個取りの金型はいわゆる多数個取りの金型に比較して小型であるため蓄熱量が小さく、また小型になるほど単位体積当たりの表面積が大きくなるため金型の表面からの放熱量が相対的に大きくなって、保圧工程及び冷却工程における冷却速度が大きくなり、保圧工程及び冷却工程に要する時間を短縮することができる。
【００３３】
ここで、金型の強度に対する要求が厳しくないことから、金型を従来一般のように高硬度の材料から形成する必要がなく、熱伝導率が高く切削加工が容易なアルミ合金などから形成することができる。このため、射出工程及び保圧工程において必要となる金型の強度を維持しつつ、切削加工により容易に各型板３、５の外表面に放熱フィン７、７、７、・・・を形成して表面積を増加させ、更なる冷却速度の高速化を図ることができる。
【００３４】
また、保圧工程及び冷却工程における金型の冷却は、溶融樹脂が固化する温度に達するまでの最小限の温度低下に留めるため、少ない放熱量で必要な温度に達することができる。このため金型の蓄熱量が小さいこと及び表面積が相対的に大きいことに鑑みれば、従来一般の金型のように内部に冷媒を導入して冷却効率を向上させなくとも、空冷ファンと放熱片部材（放熱フィン７、７、７、・・・や放熱ピン８、８、８、・・・など）の組合せによって短時間で保圧工程及び冷却工程を完了させることができる。
【００３５】
更に、溶融樹脂の射出圧力が低く金型が小型であることから型締め力が小さくともよく、型締め工程及び型開き工程における金型の開閉動作に必要な動力源を小型にすることができて射出成形機の小型化を図ることができるほか、これら型締め工程及び型開き工程に要する時間も短縮できて射出成形サイクルのハイサイクル化にも資するものである。
【００３６】
なお、図５に示すように型板３、５の外表面に放熱ピン８、８、８、・・・を立設する構成においても、放熱フィン７、７、７、・・・を形成する構成と同様の作用効果を奏するものであるが、放熱ピン８、８、８、・・・を立設する構成によれば放熱フィン７、７、７、・・を形成する構成に比較して表面積を更に大きくしやすいため、金型の冷却に要する時間の更なる短縮を図ることができる。
【００３７】
次いで、本発明の第２の実施の形態について説明すると、第１の実施の形態に係る樹脂成形用金型が、型板３、５の外表面から放熱片部材（放熱フィン７、７、７、・・や放熱ピン８、８、８、・・・）を突設するのに対し（図３を特に参照）、図６に示すように第２の実施の形態に係る樹脂成形用金型は、型板３、５の外表面に複数の溝１０、１０、１０、・・・を刻設して型板の外表面を増加させる構成を有するものである。このような構成によれば、第１の実施の形態と同様に、溶融樹脂の射出圧力が低いことから必要な金型強度を維持しつつ金型（型板）の外表面の表面積を増加させて冷却効率を向上させ、射出成形サイクルのハイサイクル化を図ることができる。そしてこのような溝１０、１０、１０、・・・の刻設はフライス加工などの一般的な切削加工により形成することができ、安価に加工ができるものである。なお、これ以外の構成については第１の実施の形態と同一の構成を有するものであるため、説明は省略する。
【００３８】
図４は、このような射出成形用の金型を適用することができる射出成形機の構成を示した外観平面図である。この射出成形機１００の射出ユニット１０２は、原料の固形の樹脂を貯蔵して供給するホッパー１０４と、ヒータ１０８により加熱される可塑化シリンダ（加熱筒）１０６と、可塑化シリンダ１０６の先端に装着されて金型１に溶融樹脂を射出するノズル１２０と、可塑化シリンダ１０６の内部で回転可能に配設されるスクリュー（図示せず）と、このスクリューを駆動するための動力源１１０及び駆動機構１１２とを備える。そしてヒータ１０８が可塑化シリンダ１０６を加熱することにより可塑化シリンダ１０６内に供給された樹脂を溶融し、可塑化シリンダ１０６内でスクリューが回転することにより溶融樹脂がノズル１２０に送り出されてノズル１２０から射出されるように構成される。
【００３９】
射出成形用の金型１はノズル１２０の先端近傍に配設され、型締め装置１１６により型締め工程及び型開き工程における開閉動作が行われると共に射出工程及び保圧工程における型締め力が加えられる。この型締め装置１１６は従来一般の構成を適用することができ、直圧式、トグル式などいずれの方式であっても良い。
【００４０】
更に金型１の周囲には、金型１に向けて送風可能なように空冷ファン３０、３０、・・・が配設される。図４に示す構成は、金型１の上方及び下方に配設されて金型１に対して送風できるものであるが、空冷ファン３０、３０、・・・を配設する位置や個数は必要となる冷却量その他の条件に応じて適宜変更することができる。また空冷ファン３０の能力も、必要な冷却量に応じて適宜決定される。この場合、例えば金型１の斜め上方に配設して可塑化シリンダ１０６やノズルに風が当たらないように構成すると、可塑化シリンダ１０６やノズルが冷却されることがなく、望ましいものと考えられる。
【００４１】
このような構成を有する射出成形用の金型１を用いた射出成形機による射出成形の操作は、以下のように行われる。ここでは、原料の樹脂としてＰＢＴ樹脂（Polybutylene Terephthalate：ポリブチレン・テレフタレート）を適用する例を用いて示す。
【００４２】
射出成形加工の開始前において、まず各型板３、５に形成される温管９に温媒を導入して金型を予熱する。この温媒としては加熱した油や蒸気などを用いることができる。原料の樹脂としてＰＢＴ樹脂を適用する場合には、約１８０℃となるように加熱し、射出成形開始後は溶融樹脂温による慣性温度上昇を利用する。なお従来の金型内に冷媒を導入する構成においては、例えば約４０℃の冷却水を導入するものであり、従来に比較して高い温度に維持するものである。
【００４３】
次いで固定側型板５に可動側型板３を結合して型締め力を加える（型締め工程）。そして射出成形機１００のノズル１２０の先端をノズルタッチプレート２４に押しあて、キャビティ２２に溶融樹脂を射出する。従来の方法によれば、一般的に３０〜４０ＭＰａ程度の射出圧力で射出するため、この場合には最低でも５ｔ程度の型締め力が必要とされるが、本発明に係る金型１を用いる場合には溶融樹脂を８ＭＰａ以下の射出圧力で射出するため、型締め力は１ｔ程度で良い。また、溶融樹脂の射出圧力が低いため溶融樹脂にかかるせん断力が小さくなり、樹脂成形品の内部の残留応力が抑制されるとともに溶融樹脂の不必要な発熱が抑制され樹脂の変質が生じにくくなる。
【００４４】
次の保圧工程及び冷却工程においては、空冷ファン３０を作動させて金型１（各型板３、５の表面に形成される放熱フィン７、７、７、・・・）に送風して冷却する。ＰＢＴ樹脂の結晶化速度は約１７０℃で最も大きくなるが（出典：湯本和男編，「飽和ポリエステル樹脂ハンドブック」，日刊工業新聞社，ｐ２９７）、金型１が小型で蓄熱容量が小さいこと及び単位体積当たりの表面積が大きいことから金型１の冷却速度が大きく、かつ冷却量は溶融樹脂が固化する温度に達する最小限の温度低下に留めることから、空冷ファン３０と放熱フィン７、７、７、・・・との組合せによる冷却であっても保圧工程及び冷却工程を短時間で完了することができる。
【００４５】
その後、型開き工程において可動側型板３を移動して固定側型板５と分離し、取り出し工程において樹脂成形品を取り出して１回の射出成形操作は終了する。以降はこの操作を繰り返す。なお、射出成形加工が開始された後は、射出される溶融樹脂の有する熱量によって金型１の温度を維持するが、金型温度が低下した場合には温管９に温媒を導入して補助的に加熱する構成であっても良い。
【００４６】
このように、本実施の形態に係る射出成形用の金型を用い、射出成形操作中においてはこの金型の温度を比較的高温に維持し、射出工程においては低い射出圧力で溶融樹脂を射出し、保圧工程及び冷却工程においては金型の温度の低下を溶融樹脂の固化に必要最小限の温度低下に留めることにより、射出成形機及びその附帯的設備の小型化・簡略化と射出成形サイクルのハイサイクル化の両立を図ることができる。
【００４７】
溶融樹脂は低い射出圧力で射出されるから、射出工程において溶融樹脂にかかるせん断力を小さくして得られる樹脂成形品に残留応力が生じることを防止すると共に、余裕樹脂の不必要な温度上昇を抑制して樹脂が変質することを防止でき、また、１個取りの金型とすることにより、樹脂成形品ごとの寸法や品質のばらつきが生じることを抑制できることから、小型精密部品の射出成形に好適に適用することができる。
【００４８】
また、一般的に用いられている多数個取りの金型によれば、ノズルから射出された溶融樹脂を各樹脂成形品に対応するキャビティに分配するためのランナーが必要となる。このランナーは樹脂成形品を金型から取り出した後は不要となり、原材料として再利用するか廃棄処分されることになるが、原材料に混合して再利用する場合であっても樹脂成形品の品質を維持するため一定の割合以上は混合しないため、原材料に無駄が生じる場合がある。これに対し、本発明のように１個取りの金型とすれば、溶融樹脂を分配するためのランナーが不要で原材料の歩留りを向上させることができると共に、再利用のために混合する必要がなくなるため、樹脂成形品の品質の低下を防止することもできる。
【００４９】
以上、本発明の実施の形態について詳細に説明したが、本発明は前記実施の形態に何ら限定されるものではなく、本発明の趣旨を逸脱しない範囲で種々の改変が可能である。
【００５０】
例えば、前記実施の形態においては、固定側型板の取付板が形成されない側面にノズルタッチプレートを配設して溶融樹脂を射出する構成、すなわちノズルの軸線と可動側型板の往復運動の軸線とが直交する構成を示したが、ノズルの軸線と可動側型板の往復動の軸線とを一致する構成として、固定側取付板の面にノズルタッチプレートを配設して、射出工程及び保圧工程においてノズルをノズルタッチプレートに押しつける力により金型に型締め力を加える構成であっても良い。
【００５１】
また、前記実施の形態においては金型を予熱する構成として、金型に温管を形成して温媒を導入する構成を有しているが、金型をあらかじめ所定の温度に加熱維持できればよいものであり、前記構成に限らず、例えばカートリッジヒータなどの公知の各種加熱手段を適用することができる。
【００５２】
なお、前記実施の形態の説明で採り上げたＰＢＴ樹脂は適用できる樹脂の例示であり、金型の温度を調整することにより、このほか各種の樹脂に適用できるのはいうまでもない。
【図面の簡単な説明】
【００５３】
【図１】本発明の第１の実施の形態に係る射出成形用金型の外観斜視図である。
【図２】上記実施形態に係る射出成形用金型の外観平面図であり、（ａ）はノズルタッチプレートを有する側から見た図、（ｂ）は（ａ）の側方から見た図、（ｃ）は（ａ）の反対側から見た図である。
【図３】上記射出成形用金型の内部構造を示した断面模式図である。
【図４】上記実施形態に係る射出成形用金型が適用された射出成形機の外観平面図である。
【図５】上記実施の形態に係る射出成形用金型において、放熱ピンが立設される射出成形用金型の外観斜視図である。
【図６】本発明の第２の実施の形態に係る射出成形用金型の断面模式図である。
【符号の説明】
【００５４】
１  射出成形用の金型
３  可動側型板
５  固定側型板
７  放熱フィン
２０  コアプレート
２２  キャビティ
【図１】
2005035164.tif 000003
【図２】
2005035164.tif 000004
【図３】
2005035164.tif 000005
【図４】
2005035164.tif 000006
【図５】
2005035164.tif 000007
【図６】
2005035164.tif 000008